【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
被写体を撮影することにより取得された医用画像データから１つ又は複数の種類の異常陰影候補を検出する異常陰影候補検出手段と、
前記医用画像データに画像処理を施す画像処理手段と、
前記医用画像データを表示する表示手段と、
を備えた画像診断支援装置であって、
前記画像処理手段は、前記検出された異常陰影候補に対して複数の異なる強調処理を施し、
前記表示手段は、強調度の異なる複数の画像を同時に表示することを特徴とする画像診断支援装置。
【請求項２】
被写体を撮影することにより取得された医用画像データから１つ又は複数の種類の異常陰影候補を検出する異常陰影候補検出手段と、
前記医用画像データに画像処理を施す画像処理手段と、
前記医用画像データを表示する表示手段と、
を備えた画像診断支援装置であって、
前記画像処理手段は、前記検出された異常陰影候補に対して複数の異なる強調処理を施し、
前記表示手段は、強調度の異なる複数の画像を強調度に従って順番に表示することを特徴とする画像診断支援装置。
【請求項３】
請求項２に記載の画像診断支援装置において、
前記表示手段は、前記強調度の異なる複数の画像を切り替えて表示することを特徴とする画像診断支援装置。
【請求項４】
請求項１〜３のいずれか一項に記載の画像診断支援装置において、
前記表示手段は、前記強調度の異なる複数の画像のうち少なくとも１つと前記医用画像データの原画像とを同時に表示することを特徴とする画像診断支援装置。
【請求項５】
請求項１〜４のいずれか一項に記載の画像診断支援装置において、
前記画像処理手段は、前記検出された異常陰影候補の病変要素を削除又は減弱する処理を施し、
前記表示手段は、前記削除又は減弱する処理を施された画像を、前記強調度の異なる複数の画像のうち少なくとも１つ又は前記医用画像データの原画像と同時に表示することを特徴とする画像診断支援装置。
【請求項６】
請求項１〜５のいずれか一項に記載の画像診断支援装置において、
前記強調度の異なる複数の画像の中から１つ又は複数の画像を選択させるための画像選択手段を備え、
前記表示手段は、前記選択された画像を表示することを特徴とする画像診断支援装置。
【請求項７】
請求項１〜６のいずれか一項に記載の画像診断支援装置において、
前記画像処理手段は、前記医用画像データに対応する画像付帯情報に基づいて、画像処理方法及び画像処理条件を変更することを特徴とする画像診断支援装置。
【請求項８】
請求項７に記載の画像診断支援装置において、
前記画像付帯情報は、異常陰影候補の病変の種類を含むことを特徴とする画像診断支援装置。
【請求項９】
請求項７に記載の画像診断支援装置において、
前記画像付帯情報は、異常陰影候補の特徴量を含むことを特徴とする画像診断支援装置。
【請求項１０】
被写体を撮影することにより取得された医用画像データから１つ又は複数の種類の異常陰影候補を検出する異常陰影候補検出工程と、
前記医用画像データに画像処理を施す画像処理工程と、
前記医用画像データを表示する表示工程と、
を含む画像診断支援方法であって、
前記画像処理工程では、前記検出された異常陰影候補に対して複数の異なる強調処理を施し、
前記表示工程では、強調度の異なる複数の画像を同時に表示することを特徴とする画像診断支援方法。
【請求項１１】
被写体を撮影することにより取得された医用画像データから１つ又は複数の種類の異常陰影候補を検出する異常陰影候補検出工程と、
前記医用画像データに画像処理を施す画像処理工程と、
前記医用画像データを表示する表示工程と、
を含む画像診断支援方法であって、
前記画像処理工程では、前記検出された異常陰影候補に対して複数の異なる強調処理を施し、
前記表示工程では、強調度の異なる複数の画像を強調度に従って順番に表示することを特徴とする画像診断支援方法。
【請求項１２】
請求項１１に記載の画像診断支援方法において、
前記表示工程では、前記強調度の異なる複数の画像を切り替えて表示することを特徴とする画像診断支援方法。
【請求項１３】
請求項１０〜１２のいずれか一項に記載の画像診断支援方法において、
前記表示工程では、前記強調度の異なる複数の画像のうち少なくとも１つと前記医用画像データの原画像とを同時に表示することを特徴とする画像診断支援方法。
【請求項１４】
請求項１０〜１３のいずれか一項に記載の画像診断支援方法において、
前記画像処理工程では、前記検出された異常陰影候補の病変要素を削除又は減弱する処理を施し、
前記表示工程では、前記削除又は減弱する処理を施された画像を、前記強調度の異なる複数の画像のうち少なくとも１つ又は前記医用画像データの原画像と同時に表示することを特徴とする画像診断支援方法。
【請求項１５】
請求項１０〜１４のいずれか一項に記載の画像診断支援方法において、
前記強調度の異なる複数の画像の中から１つ又は複数の画像を選択させるための画像選択工程を含み、
前記表示工程では、前記選択された画像を表示することを特徴とする画像診断支援方法。
【請求項１６】
請求項１０〜１５のいずれか一項に記載の画像診断支援方法において、
前記画像処理工程では、前記医用画像データに対応する画像付帯情報に基づいて、画像処理方法及び画像処理条件を変更することを特徴とする画像診断支援方法。
【請求項１７】
請求項１６に記載の画像診断支援方法において、
前記画像付帯情報は、異常陰影候補の病変の種類を含むことを特徴とする画像診断支援方法。
【請求項１８】
請求項１６に記載の画像診断支援方法において、
前記画像付帯情報は、異常陰影候補の特徴量を含むことを特徴とする画像診断支援方法。
【請求項１９】
コンピュータを、
被写体を撮影することにより取得された医用画像データから１つ又は複数の種類の異常陰影候補を検出する異常陰影候補検出手段、
前記医用画像データに画像処理を施す画像処理手段、
前記医用画像データを表示する表示手段、
として機能させるためのプログラムであって、
前記画像処理手段は、前記検出された異常陰影候補に対して複数の異なる強調処理を施し、
前記表示手段は、強調度の異なる複数の画像を同時に表示することを特徴とするプログラム。
【請求項２０】
コンピュータを、
被写体を撮影することにより取得された医用画像データから１つ又は複数の種類の異常陰影候補を検出する異常陰影候補検出手段、
前記医用画像データに画像処理を施す画像処理手段、
前記医用画像データを表示する表示手段、
として機能させるためのプログラムであって、
前記画像処理手段は、前記検出された異常陰影候補に対して複数の異なる強調処理を施し、
前記表示手段は、強調度の異なる複数の画像を強調度に従って順番に表示することを特徴とするプログラム。
【請求項２１】
請求項２０に記載のプログラムにおいて、
前記表示手段は、前記強調度の異なる複数の画像を切り替えて表示することを特徴とするプログラム。
【請求項２２】
請求項１９〜２１のいずれか一項に記載のプログラムにおいて、
前記表示手段は、前記強調度の異なる複数の画像のうち少なくとも１つと前記医用画像データの原画像とを同時に表示することを特徴とするプログラム。
【請求項２３】
請求項１９〜２２のいずれか一項に記載のプログラムにおいて、
前記画像処理手段は、前記検出された異常陰影候補の病変要素を削除又は減弱する処理を施し、
前記表示手段は、前記削除又は減弱する処理を施された画像を、前記強調度の異なる複数の画像のうち少なくとも１つ又は前記医用画像データの原画像と同時に表示することを特徴とするプログラム。
【請求項２４】
請求項１９〜２３のいずれか一項に記載のプログラムにおいて、
前記コンピュータを、さらに、
前記強調度の異なる複数の画像の中から１つ又は複数の画像を選択させるための画像選択手段として機能させ、
前記表示手段は、前記選択された画像を表示することを特徴とするプログラム。
【請求項２５】
請求項１９〜２４のいずれか一項に記載のプログラムにおいて、
前記画像処理手段は、前記医用画像データに対応する画像付帯情報に基づいて、画像処理方法及び画像処理条件を変更することを特徴とするプログラム。
【請求項２６】
請求項２５に記載のプログラムにおいて、
前記画像付帯情報は、異常陰影候補の病変の種類を含むことを特徴とするプログラム。
【請求項２７】
請求項２５に記載のプログラムにおいて、
前記画像付帯情報は、異常陰影候補の特徴量を含むことを特徴とするプログラム。
【手続補正２】
【補正対象書類名】明細書
【補正対象項目名】発明の名称
【補正方法】変更
【補正の内容】
【発明の名称】画像診断支援装置、画像診断支援方法及びプログラム
【手続補正３】
【補正対象書類名】明細書
【補正対象項目名】０００１
【補正方法】変更
【補正の内容】
【０００１】
本発明は、画像診断支援装置、画像診断支援方法及びプログラムに係り、特に医師が放射線画像を読影する際、その診断の効率化を図る画像診断支援装置、画像診断支援方法及びプログラムに関する。
【手続補正４】
【補正対象書類名】明細書
【補正対象項目名】０００７
【補正方法】変更
【補正の内容】
【０００７】
本発明は上記の従来技術における問題に鑑みてなされたものであって、医師による病変部の見落としを防ぎ、診断効率の向上に貢献することができる画像診断支援装置、画像診断支援方法及びプログラムを提供することを課題とする。
【手続補正５】
【補正対象書類名】明細書
【補正対象項目名】００２５
【補正方法】変更
【補正の内容】
【００２５】
請求項１８に記載の発明は、請求項１６に記載の画像診断支援方法において、前記画像付帯情報は、異常陰影候補の特徴量を含むことを特徴としている。
請求項１９に記載の発明は、コンピュータを、被写体を撮影することにより取得された医用画像データから１つ又は複数の種類の異常陰影候補を検出する異常陰影候補検出手段、前記医用画像データに画像処理を施す画像処理手段、前記医用画像データを表示する表示手段、として機能させるためのプログラムであって、前記画像処理手段は、前記検出された異常陰影候補に対して複数の異なる強調処理を施し、前記表示手段は、強調度の異なる複数の画像を同時に表示することを特徴としている。
請求項２０に記載の発明は、コンピュータを、被写体を撮影することにより取得された医用画像データから１つ又は複数の種類の異常陰影候補を検出する異常陰影候補検出手段、前記医用画像データに画像処理を施す画像処理手段、前記医用画像データを表示する表示手段、として機能させるためのプログラムであって、前記画像処理手段は、前記検出された異常陰影候補に対して複数の異なる強調処理を施し、前記表示手段は、強調度の異なる複数の画像を強調度に従って順番に表示することを特徴としている。
請求項２１に記載の発明は、請求項２０に記載のプログラムにおいて、前記表示手段は、前記強調度の異なる複数の画像を切り替えて表示することを特徴としている。
請求項２２に記載の発明は、請求項１９〜２１のいずれか一項に記載のプログラムにおいて、前記表示手段は、前記強調度の異なる複数の画像のうち少なくとも１つと前記医用画像データの原画像とを同時に表示することを特徴としている。
請求項２３に記載の発明は、請求項１９〜２２のいずれか一項に記載のプログラムにおいて、前記画像処理手段は、前記検出された異常陰影候補の病変要素を削除又は減弱する処理を施し、前記表示手段は、前記削除又は減弱する処理を施された画像を、前記強調度の異なる複数の画像のうち少なくとも１つ又は前記医用画像データの原画像と同時に表示することを特徴としている。
請求項２４に記載の発明は、請求項１９〜２３のいずれか一項に記載のプログラムにおいて、前記コンピュータを、さらに、前記強調度の異なる複数の画像の中から１つ又は複数の画像を選択させるための画像選択手段として機能させ、前記表示手段は、前記選択された画像を表示することを特徴としている。
請求項２５に記載の発明は、請求項１９〜２４のいずれか一項に記載のプログラムにおいて、前記画像処理手段は、前記医用画像データに対応する画像付帯情報に基づいて、画像処理方法及び画像処理条件を変更することを特徴としている。
請求項２６に記載の発明は、請求項２５に記載のプログラムにおいて、前記画像付帯情報は、異常陰影候補の病変の種類を含むことを特徴としている。
請求項２７に記載の発明は、請求項２５に記載のプログラムにおいて、前記画像付帯情報は、異常陰影候補の特徴量を含むことを特徴としている。
【手続補正６】
【補正対象書類名】明細書
【補正対象項目名】００２６
【補正方法】変更
【補正の内容】
【００２６】
請求項１、１０、１９に記載の発明によれば、強調度の異なる複数の画像を同時に表示するので、異常陰影候補の判別に適した画像を提供することができる。したがって、医師による病変部の見落としを防ぎ、診断効率の向上に貢献することができる。
【手続補正７】
【補正対象書類名】明細書
【補正対象項目名】００２７
【補正方法】変更
【補正の内容】
【００２７】
請求項２、１１、２０に記載の発明によれば、強調度の異なる複数の画像を強調度に従って順番に表示するので、異常陰影候補の判別に適した画像を提供することができる。したがって、医師による病変部の見落としを防ぎ、診断効率の向上に貢献することができる。
【手続補正８】
【補正対象書類名】明細書
【補正対象項目名】００２８
【補正方法】変更
【補正の内容】
【００２８】
請求項３、１２、２１に記載の発明によれば、強調度の異なる複数の画像を切り替えて表示することにより、異常陰影候補の判別が容易になる。
【手続補正９】
【補正対象書類名】明細書
【補正対象項目名】００２９
【補正方法】変更
【補正の内容】
【００２９】
請求項４、１３、２２に記載の発明によれば、強調度の異なる複数の画像のうち少なくとも１つと医用画像データの原画像とを同時に表示するので、原画像と比較することにより異常陰影候補の判別が容易になる。
【手続補正１０】
【補正対象書類名】明細書
【補正対象項目名】００３０
【補正方法】変更
【補正の内容】
【００３０】
請求項５、１４、２３に記載の発明によれば、医用画像データから異常陰影候補の病変要素を削除又は減弱する処理を施すので、異常陰影候補が存在しなかった場合の画像を提供することができ、異常陰影候補の判別が容易になる。
【手続補正１１】
【補正対象書類名】明細書
【補正対象項目名】００３１
【補正方法】変更
【補正の内容】
【００３１】
表示手段の表示面積は限られているため、複数の画像を表示した場合、１画像あたりの表示面積は小さくなってしまう。しかし、請求項６、１５、２４に記載の発明によれば、選択された画像のみを表示することにより、充分な表示面積を確保することができる。
【手続補正１２】
【補正対象書類名】明細書
【補正対象項目名】００３２
【補正方法】変更
【補正の内容】
【００３２】
請求項７、８、９、１６、１７、１８、２５、２６、２７に記載の発明によれば、医用画像データに対応する画像付帯情報に基づいて、画像処理方法及び画像処理条件を変更するので、各医用画像データに適した処理を施すことができる。